(57)【要約】【課題】  熱媒体液の補充作業を簡単、安全に行えるようにする。熱媒体液の補充作業によって立上管の端口のシール性が損なわれないようにする。【解決手段】  熱媒体液Ｗが注入されたチューブからなる放熱器の内部に抵抗発熱する電熱線４が配線され、放熱器の端末が立上げられた立上管２の端口からシール構造５，６，７，８，９を介して電熱線４が引出されている。立上管２は、熱媒体液Ｗを補充する補充用管１０が分岐され、補充用管１０は端口に着脱可能なシール性を有した栓体１１が設けられている。【選択図】図１
0003128929.tif 000002
【実用新案登録請求の範囲】
【請求項１】
熱媒体液が注入されたチューブからなる放熱器の内部に抵抗発熱する電熱線が配線され、放熱器の端末が立上げられた立上管の端口からシール構造を介して電熱線が引出されてなる床暖房装置において、立上管は熱媒体液を補充する補充用管が分岐され、補充用管は端口に着脱可能なシール性を有した栓体が設けられていることを特徴とする床暖房装置。
【請求項２】
請求項１の床暖房装置において、立上管は補充用管の分岐点よりも下方で中継部材を介して接続されていることを特徴とする床暖房装置。
【請求項３】
請求項１または２の床暖房装置において、立上管は内部における熱媒体液の水位を目視可能にする水位検出手段が備えられていることを特徴とする床暖房装置。
【考案の詳細な説明】
【技術分野】
【０００１】  本考案は、床面を電熱で加熱（加温）することで室内を暖房する床暖房装置に係る技術分野に属する。
【背景技術】
【０００２】  最近、一般家屋の床暖房装置として抵抗発熱する電熱線を利用した電熱式のものが普及している。電熱式の床暖房装置は、ボイラで加熱した流体を循環ポンプにより床面に配設されたチューブからなる放熱器に循環させるボイラ式の床暖房装置に比して、設備コスト、運転コストがともに低いという特徴がある。この電熱式の床暖房装置では、電熱線の抵抗発熱の熱伝導効率について種々の改良が試みられている。【０００３】  従来、電熱式の床暖房装置の熱伝導効率の改良を指向した技術としては、例えば、以下に記載のものが知られている。
【特許文献１】  特開平８−３１２９７６号公報  特許文献１には、電熱線を水等の熱媒体液が注入されたチューブからなる放熱器の内部に配線してなる床暖房装置が記載されている。【０００４】  特許文献１に係る床暖房装置は、比熱の高い水等の熱媒体液を加熱し、熱媒体液を介在して床面の床パネル等を間接的に加熱することによって、床面の床パネル等を電熱線で直接的に加熱する場合に比して、床面の温度上昇が緩慢であるものの長時間の温度維持に有効性を発揮するものである。【０００５】  特許文献１に係る床暖房装置は、図２，図３に示すように、床面に設置（格子状、ジグザグ状、千鳥状等の配管形状で）されたチューブからなる放熱器１の端末を壁面等に立上げ、立上げられた立上管２をコントロ−ラ、スイッチ等（図示せず）が収容されたコントロールボックス３に引込み、立上管２の端口から引出された電熱線４をコントローラ等に接続した設置システムとされるものがある。【０００６】  この設置システムでは、立上管２の端口のシール性を確保するために、立上管２の端口にソケットボルト５，パッキング６，締付ナット７，取付ナット８，シール部材９が設けられている。ソケットボルト５は、ほぼ円筒形に形成され、一端面に立上管２の端口が差込まれる環状の差込口５ａが設けられ、外周面に中央部のフランジ５ｂを介して両側に雄ネジ部５ｃ，５ｄが刻設されている。パッキング６は、リング形に形成され、ソケットボルト５の差込口５ａに差込まれた立上管２の端口の外周面に当接するように嵌合される。締付ナット７は、キャップ形に形成され、中央部に立上管２の端口が挿通される挿通孔７ａが開孔され、内周面にソケットボルト５の差込口５ａ寄りの雄ネジ部５ｃに螺合する雌ネジ部７ｂが刻設されている。取付ナット８は、変形した円筒形に形成され、一端部側の内周面にソケットボルト５の差込口５ａの反対側に雄ネジ部５ｄに螺合する雌ネジ部８ａが刻設され、他端部側の内周面にシール部材９が嵌合されるテ−パ形の取付座８ｂが設けられている。シール部材９は、円錐台形に形成され、中央部に電熱線４が挿通される挿通孔９ａが貫通され、外周面に取付ナット８の取付座８ｂに嵌合当接されるテ−パ部９ｂが設けられている。【０００７】  この設置システムは、立上管２の端口に締付ナット７を挿通しておいて、立上管２の端口にパッキング６を介してソケットボルト５を差込み、締付ナット７でソケットポルト５を立上管２の端口に締付け固定した後、ソケットボルト５に取付ナット８を締付け固定して、電熱線４が挿通されたシール部材９を取付ナット８に圧入嵌合することでシール構造を完成する。なお、シール部材９は、防水面でのシール性を備えるとともに、熱的絶縁性、電気的絶縁性をも備えている。【０００８】  この設置システムを運転使用する際には、熱媒体液Ｗの蒸発により放熱器１等の内部に空間が形成されて熱伝導性が低下したり合成樹脂部分が熱劣化したりするのを避けるために、比較的頻繁に立上管２の端口から熱媒体液Ｗを補充する必要がある。
【考案の開示】
【考案が解決しようとする課題】
【０００９】  特許文献１に係る床暖房装置の前述の設置システムでは、立上管２から熱媒体液Ｗを補充する際に、シール構造であるソケットボルト５，パッキング６，締付ナット７，取付ナット８，シール部材９のすべてを分解して立上管２の端口を開放しなければならないため（図３（Ｂ）参照）、熱媒体液Ｗの補充作業が面倒であるという問題点がある。また、シ−ル構造であるソケットボルト５，パッキング６，締付ナット７，取付ナット８，シール部材９の分解、組立の際に電熱線４に接触せざるを得ないため、熱媒体液Ｗの補充作業に安全性が保障されないという問題点がある。また、複雑なシ−ル構造であるソケットボルト５，パッキング６，締付ナット７，取付ナット８，シール部材９の分解、組立の繰返しによる摩耗や作業者の分解、組立の不正確さによって、立上管２の端口のシール性を確実に維持できなくなることがあるという問題点がある。【００１０】  本考案は、このような問題点を考慮してなされたもので、熱媒体液の補充作業を簡単、安全に行なうことができ、熱媒体液の補充作業によって立上管の端口のシール性が損なわれることのない床暖房装置を提供することを課題とする。
【課題を解決するための手段】
【００１１】  前述の課題を解決するため、本考案に係る床暖房装置は、実用新案登録請求の範囲の各請求項に記載の手段を採用する。【００１２】  即ち、請求項１では、熱媒体液が注入されたチューブからなる放熱器の内部に抵抗発熱する電熱線が配線され、放熱器の端末が立上げられた立上管の端口からシール構造を介して電熱線が引出されてなる床暖房装置において、立上管は熱媒体液を補充する補充用管が分岐され、補充用管は端口に着脱可能なシール性を有した栓体が設けられていることを特徴とする。【００１３】  この手段では、補充用管の端口に設けられている栓体を取外し、補充用管の端口から熱媒体液を補充することができる。【００１４】    また、請求項２では、請求項１の床暖房装置において、立上管は補充用管の分岐点よりも下方で中断部材を介して接続されていることを特徴とする。【００１５】  この手段では、立上管の補充用管が分岐された部分が別個に製造されて中継部材で接続される。【００１６】  また、請求項３では、請求項１または２の床暖房装置において、立上管は内部における熱媒体液の水位を目視可能にする水位検出手段が備えられていることを特徴とする。【００１７】  この手段では、水位検出手段によって立上管の内部における熱媒体液の水位が目視される。
【考案の効果】
【００１８】  本考案に係る床暖房装置は、補充用管の端口に設けられている栓体を取外し、補充用管の端口から熱媒体液を補充することができ、面倒であったり電熱線に接触したりする立上管の端口のシール構造を分解せずに熱媒体液の補充することができるため、熱媒体液の補充作業を簡単、安全に行なうことができる効果がある。また、補充用管の端口に設けられている栓体を取外し、補充用管の端口から熱媒体液を補充することができ、立上管の端口の複雑なシール構造を分解せずに熱媒体液の補充することができるため、熱媒体液の補充作業によって立上管の端口のシール性が損なわれることがない効果がある。【００１９】  さらに、請求項２として、立上管の補充用管が分岐された部分が別個に製造されて中継部材で接続されるため、製造が容易になる効果がある。【００２０】  さらに、請求項３として、水位検出手段によって立上管の内部における熱媒体液の水位が目視されるため、放熱器の内部の熱媒体液の不足が放置されたり、熱媒体液を補充する際に誤って補充用管の端口から熱媒体液を溢流させてしまうことがない効果がある。
【考案を実施するための最良の形態】
【００２１】  以下、本考案に係る床暖房装置を実施するための最良の形態を図１に基づいて説明する。【００２２】  この形態は、特許文献１に係る床暖房装置の図２，図３に示される設置システムと同様に、熱媒体液Ｗが注入されたチューブからなる放熱器１の内部に抵抗発熱する電熱線４が配線され、放熱器１の端末が立上げられた立上管２の端口のシール構造（ソケットボルト５，パッキング６，締付ナット７、取付ナット８，シール部材９）を介して電熱線４が引出されている。【００２３】  この形態の立上管２は、端口の手間で補充用管１０が２股に分岐されている。補充用管１０は、立上管２とほぼ同一径とされて端口が斜め上方を向くように配接されている。補充用管１０の端口には、ネジキャップ形の栓体１１が着脱可能に取付けられている。栓体１１は、内周面に雌ネジ部１１ａが刻設され、雌ネジ部１１ａの端面に隣接した箇所に環状のＯリング等のパッキング１２が嵌込まれるパッキング用溝１１ｂが刻設されている。なお、補充用管１０の端口の外周面には、栓体１１の雌ネジ部１１ａが螺合する雄ネジ１３が刻設されている。【００２４】  また、立上管２は、補充用管１０の分岐点よりも下方で中継部材１４を介して接続されている。中継部材１４は、補充部材１０が差込まれるソケットボルト１４ａ（前述のシール構造のソケットボルト５の差込口５ａ側の構造が両端部に構成されたもの）と、補充用管１０をソケットボルト１４ａに締付け固定する締付ナット１４ｂ（前述のシール構造の締付ナット７と同一のもの）とからなる。【００２５】  また、立上管２は、中継部材１４よりも下方に水位検出手段１５が設けられている。水位検出手段１５は、立上管２の内部における熱媒体液Ｗの水位を透視により目視可能な透明または半透明の窓１５ａと、窓１５ａに記された熱媒体液Ｗの水位の高低の判断基準となる基準線１５ｂとからなる。【００２６】  この形態によると、立上管２の全体と補充用管１０とを一体物とせずに、立上管２、補充用管１０が分岐されたものを別個に形成して、放熱器１から立上げられた立上管２に中継部材１４を介して接続する製造手段を採ることができる。従って、容易に製造が可能で製造コストを低減することができる。【００２７】  この形態では、水位検出手段１５の窓１５ａによって立上管２の内部における熱媒体液Ｗの水位を簡単に把握することができ、水位検出手段１５の基準線１５ｂによって熱媒体液Ｗの補充の必要性を簡単に把握することができる。従って、熱媒体液Ｗの補充の時期を逸することなく、熱伝導率を低下させたり各部に熱劣化等の損傷を引起こしたりすることが確実に防止される。【００２８】  この形態で熱媒体液Ｗを補充するには、補充用管１０から栓体１１を螺合操作により取外して、補充用管１０の露出した端口から熱媒体液Ｗを注入すればよい。このとき、水位検出手段１５で立上管２の内部における熱媒体液Ｗの水位に注意を払うことによって、熱媒体液Ｗを補充用管１０の端口から溢流させてしまうのを防止することができる。【００２９】  このような熱媒体液Ｗの補充では、立上管２の端口のシール構造を分解せずに熱媒体液Ｗを補充することができるため、面倒な作業が要求されたりであったり電熱線４に接触したりすることがなく、熱媒体液Ｗの補充作業を簡単、安全に行うことができる。また、立上管２の端口の複雑なシール構造を分解せずに熱媒体液Ｗを補充することができるため、分解、組立の繰返しによる摩耗や作業者の分解、組立の不正確さによって、立上管２の端口のシール性を確実に維持できなくなることを避けることができる。【００３０】  熱媒体液Ｗの補充後には、補充用管１０に栓体１１を螺合操作により取付ける。補充用管１０に取付けられた栓体１１は、螺合構造とパッキング１２とによってシール性が確保される。【００３１】  以上、図示した形態の外に、補充用管１０の分岐の方向を直上にして立上管２の上部を傾斜させる配管構造とすることも可能である。【００３２】  さらに、栓体１１を補充用管１０に圧入嵌合、締付取付けするような構造とすることも可能である。【００３３】  さらに、補充用管１０の端口を熱媒体液Ｗを注入しやすい漏斗形とすることも可能である。【００３４】  さらに、水位検出手段１５を水位センサ、警報ランプ等７の電気的構造とすることも可能である。
【産業上の利用分類】
【００３５】  本考案に係る床暖房装置は、一般家屋の外に、農業用施設、工業用施設等の広範な施設での利用が可能である。
【図面の簡単な説明】
【００３６】
【図１】  本考案に係る床暖房装置を実施するための最良の形態の断面図である。
【図２】  従来例を示す斜視図である。
【図３】  図２の拡大縦断面図であり、（Ａ）に組立状態が示され、（Ｂ）に分解状態が示されている。
【符号の説明】
【００３７】  １        放熱器
２        立上管
４        電熱線
５        ソケットボルト（シール構造）
６        パッキング（シール構造）
７        締付ナット（シール構造）
８        取付ナット（シール構造）
９        シール部材（シール構造）
１０        補充用管
１１        栓体
１４        中継部材
１５        水位検出手段
Ｗ        熱媒体液
【図１】
0003128929.tif 000003
【図２】
0003128929.tif 000004
【図３】
0003128929.tif 000005